【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
受像面がプロセス方向に複数のプリントヘッドを通過する場合に、前記受像面の幅にわたって、クロスプロセス方向にインクを吐出するように配置された前記複数のプリントヘッドであって、アクチュエータに動作可能に接続されており、前記アクチュエータが、前記複数のプリントヘッドを、前記クロスプロセス方向に、前記受像面を越えて移動させるように構成されているプリントヘッドと、
洗浄流体、少なくとも１つのワイパ、及び前記少なくとも１つのワイパに動作可能に接続された少なくとも１つのアクチュエータを保持するように構成されたリザーバを有するワイパモジュールであって、前記少なくとも１つのワイパが、前記少なくとも１つのワイパを、前記リザーバ内に保持された前記洗浄流体内に入るように回転させ、かつ前記少なくとも１つのワイパが、前記複数のプリントヘッドが前記受像面を通過した後で、前記複数のプリントヘッドに接触できる位置に回転させるように構成されているワイパモジュールと、
複数のキャップであって、各キャップが、前記複数のプリントヘッドが前記複数のキャップに対向して配置された場合に、前記複数のプリントヘッドのうちのあるプリントヘッドと整列するように構成されており、各キャップが、各キャップによって覆われた前記プリントヘッドをパージすることを可能にし、かつ各キャップを、各キャップによって覆われた前記プリントヘッドから引き離すことを可能にする目的で、前記キャップと整列した前記プリントヘッドの表面を覆うために、各キャップを移動させることを可能にするように、アクチュエータに動作可能に接続されているキャップと、
容量と、収容器の幅にわたって配置されたワイパとを有する前記収容器であって、前記複数のプリントヘッドが前記複数のキャップと対向して配置された場合に、前記ワイパを、前記複数のプリントヘッドを横切って移動させるために、前記収容器を、前記プロセス方向とは反対の方向に動かすことを可能にするように、アクチュエータに動作可能に接続されており、前記ワイパが、各プリントヘッドの前記表面と接触することなく、パージされた前記複数のプリントヘッドの各プリントヘッドから、前記ワイパがパージされたインクの一部を除去することができるように配置されている収容器と、
前記複数のプリントヘッドに動作可能に接続された前記アクチュエータに対して動作可能に接続されたコントローラであって、前記アクチュエータが、前記収容器に動作可能に接続されており、前記アクチュエータが、前記複数のキャップに動作可能に接続されており、かつ前記少なくとも１つのアクチュエータが、前記少なくとも１つのワイパに動作可能に接続されており、
前記複数のプリントヘッドを、前記受像面と対向する位置から、前記複数のキャップと対向する位置まで移動させるために、前記複数のプリントヘッドに動作可能に接続された前記アクチュエータを作動させ、
パージされた前記複数のプリントヘッドのうちのいくつかの前記プリントヘッドに応じて、前記複数のプリントヘッドのうちの各プリントヘッドの前記表面を覆い、かつ前記複数のキャップのうちのいくつかの前記キャップを、前記複数のプリントヘッドのうちの各プリントヘッドの前記表面から離れた方に移動させるために、前記複数のキャップのうちのいくつかの前記キャップを移動させるように、前記複数のキャップに動作可能に接続された前記アクチュエータを作動させ、
パージされた前記インクの前記一部を前記複数のプリントヘッドから除去し、かつ前記インクの除去された前記一部が、前記収容器内に落ちることを可能にするために、前記収容器を、複数のキャップと、前記複数のプリントヘッドとの間に移動させるように、前記収容器に動作可能に接続された前記アクチュエータを作動させ、
前記ワイパを、前記リザーバ内の前記位置から、前記少なくとも１つのワイパが、前記複数のプリントヘッドのうちのいくつかの前記プリントヘッドに接触することを可能にする位置に移動させるように、前記少なくとも１つのワイパに動作可能に接続された前記アクチュエータを作動させ、
前記複数のプリントヘッドのうちの前記プリントヘッドの前記表面から、インクを除去する目的で、前記複数のプリントヘッドが、前記ワイパモジュールを越えて移動する際に、前記少なくとも１つのワイパが、前記複数のプリントヘッドのうちのいくつかの前記プリントヘッドの前記表面に接触することを可能にし、かつ前記複数のプリントヘッドを、前記受像面と対向する位置に戻すために、前記複数のプリントヘッドが、前記ワイパモジュールを越えて移動するように、前記複数のプリントヘッドに動作可能に接続された前記アクチュエータを作動させるように構成されているコントローラとを備えるプリンタ。
【請求項２】
前記収容器が、
開口を有する床であって、前記プリントヘッドから除去されたインクが、重力の影響下で前記床の前記開口に移動し、かつ前記収容器を出ることができるように、前記収容器への開口と平行な平面に対してある角度に向けられている床をさらに備える、請求項１に記載のプリンタ。
【請求項３】
前記ワイパモジュールの前記リザーバが、
開口を有する床であって、前記プリントヘッドの前記表面から除去されたインクが、重力の影響下で前記床の前記開口に移動し、かつ前記リザーバを出ることができるように、前記リザーバへの開口と平行な平面に対してある角度に向けられている床をさらに備える、請求項１に記載のプリンタ。
【請求項４】
前記ワイパモジュールの前記少なくとも１つのワイパが、
複数のワイパであって、ワイパのそれぞれが、前記ワイパが、前記複数のワイパのうちのいくつかの前記ワイパのうち１つによって接触される前記プリントヘッドの前記表面をワイピングすることを可能にする幅を有するワイパをさらに備える、請求項１に記載のプリンタ。
【請求項５】
前記複数のワイパに動作可能に接続された前記少なくとも１つのアクチュエータが、
複数のアクチュエータであって、前記複数のアクチュエータのうちの各アクチュエータが、前記アクチュエータから延びる回転部材を有するアクチュエータと、
前記複数のワイパのうちの１つのワイパに、１対１対応で動作可能に接続された各アクチュエータの各回転部材とをさらに備える、請求項４に記載のプリンタ。
【請求項６】
前記複数のワイパのうちの各ワイパが、
一対のワイパが動作可能に接続された前記アクチュエータの前記回転部材から延びる、前記一対のワイパをさらに備える、請求項５に記載のプリンタ。
【請求項７】
請求項６に記載のプリンタであって、
前記複数のワイパのうちの各一対のワイパが、各一対のワイパの両ワイパの間に配置された補強材をさらに備える、プリンタ。
【請求項８】
前記ワイパモジュールが、
前記ワイパモジュールの前記リザーバに流体接続された流体源と、
前記流体源と前記ワイパモジュールの前記リザーバとの間に動作可能に接続されたポンプと、
前記ポンプに動作可能に接続された前記コントローラであって、前記源から前記ワイパモジュールの前記リザーバ内に流体を移動させるために、前記ポンプを作動させるようにさらに構成されているコントローラとをさらに備える、請求項３に記載のプリンタ。
【請求項９】
請求項８に記載のプリンタであって、
前記ワイパモジュールはさらに、前記リザーバ内の流体レベルが第１の位置にあることを示す信号を生成するように構成された流体レベルセンサを備え、
前記コントローラは、前記流体レベルセンサが生成した前記信号を受信するように前記流体レベルセンサに動作可能に接続され、前記コントローラはさらに、前記リザーバ内の前記流体レベルが前記第１の位置にあることを示す前記信号を受信したことに応じて、流体を前記流体源から前記ワイパモジュールの前記リザーバへ移動するように前記ポンプを作動させるように構成されている、プリンタ。
【請求項１０】
請求項９に記載のプリンタであって、
前記ワイパモジュールはさらに、
前記ワイパモジュールの前記リザーバの前記床の前記開口と流体連通する収容器と、
前記収容器と、前記ワイパモジュールの前記リザーバの前記床の前記開口との間に動作可能に接続された別のポンプと、を備え、
前記流体レベルセンサはさらに、前記リザーバ内の前記流体レベルが第２の位置にあることを示す別の信号を生成するように構成され、
前記コントローラは前記別のポンプに動作可能に接続され、前記コントローラはさらに、前記リザーバ内の前記流体レベルが前記第２の位置にあることを示す前記信号を受信したことに応じて、流体を前記リザーバから前記収容器へ移動するように前記別のポンプを動作させるように構成されている、プリンタ。
【請求項１１】
プリンタを操作する方法であって、
複数のプリントヘッドを、受像面と対向する位置から、複数のキャップと対向する位置に移動させるために、前記複数のプリントヘッドに動作可能に接続されたアクチュエータをコントローラで作動させることと、
パージされた前記複数のプリントヘッドのうちのいくつかの前記プリントヘッドに応じて、前記複数のプリントヘッドのうちの各プリントヘッドの表面を覆い、かつ前記複数のキャップのうちのいくつかの前記キャップを、前記複数のプリントヘッドのうちの各プリントヘッドの前記表面から離れた方に移動させるために、前記複数のキャップのうちのいくつかの前記キャップを移動させるように、前記複数のキャップに動作可能に接続されたアクチュエータを前記コントローラで作動させることと、
パージされたインクの一部を前記複数のプリントヘッドから除去し、かつ前記インクの除去された前記一部が、収容器内に落ちることを可能にするために、前記収容器を、前記複数のキャップと、前記複数のプリントヘッドとの間に移動させるように、収容器に動作可能に接続されたアクチュエータを前記コントローラで作動させることと、
前記少なくとも１つのワイパを、リザーバ内の位置から、前記少なくとも１つのワイパが、前記複数のプリントヘッドのうちのいくつかの前記プリントヘッドに接触することを可能にする位置に移動させるように、少なくとも１つのワイパに動作可能に接続されたアクチュエータを前記コントローラで作動させることと、
前記複数のプリントヘッドのうちの前記プリントヘッドの前記表面から、インクを除去する目的で、前記複数のプリントヘッドが、前記少なくとも１つのワイパを越えて移動する際に、前記少なくとも１つのワイパが、前記複数のプリントヘッドのうちのいくつかの前記プリントヘッドの前記表面に接触することを可能にし、かつ前記複数のプリントヘッドを、前記受像面と対向する位置に戻すために、前記複数のプリントヘッドが、前記少なくとも１つのワイパを越えて移動するように、前記複数のプリントヘッドに動作可能に接続されたアクチュエータを前記コントローラで作動させることとを含む方法。
【請求項１２】
前記少なくとも１つのワイパの回転が、
前記アクチュエータから延びる回転部材を有する複数のアクチュエータのうちの各アクチュエータを前記コントローラで作動させることであって、各回転部材が、複数のワイパのうちの１つのワイパに、１対１対応で動作可能に接続されていることをさらに含む、請求項１１に記載の方法。
【請求項１３】
ポンプに動作可能に接続された前記コントローラであって、流体源から、前記ワイパが回転する前記リザーバ内に流体を移動させるために、前記ポンプを前記コントローラで作動させるようにさらに構成されているコントローラをさらに含む、請求項１１に記載の方法。
【請求項１４】
請求項１１に記載の方法であって、さらに、
前記リザーバ内の流体レベルが第１の位置にあることを流体レベルセンサが検知したことに応じて、前記リザーバ内の前記流体レベルが前記第１の位置にあることを示す信号を前記流体レベルセンサが生成し、
前記リザーバ内の前記流体レベルが前記第１の位置にあることを示す前記信号を前記コントローラが受信したことに応じて、流体を流体源から前記リザーバへ移動するように前記コントローラがポンプを作動させることを含む、方法。
【請求項１５】
請求項１４に記載の方法であって、さらに、
前記リザーバ内の流体レベルが第２の位置にあることを流体レベルセンサが検知したことに応じて、前記リザーバ内の前記流体レベルが前記第２の位置にあることを示す信号を前記流体レベルセンサが生成し、
前記リザーバ内の前記流体レベルが前記第２の位置にあることを示す前記信号を前記コントローラが受信したことに応じて、流体を前記リザーバから収容器へ移動するように前記コントローラが前記ポンプを作動させることを含む、方法。